(57)【要約】【課題】移動通信システムにおいて簡易な構成で偏波ダイバーシチと空間ダイバーシチを同時に実現し、移動通信装置の規模や処理量を通常のＷ−ＣＤＭＡから大きく増加させることなく通信品質を向上させる。【解決手段】偏波面の異なる複数の偏波を通じて無線通信を行う移動通信システムであって、水平偏波アンテナ及び垂直偏波アンテナからなるブランチアンテナと、水平アンテナに固有の水平偏波用周波数と、垂直偏波アンテナに固有の水特偏波用周波数とを設定する周波数設定部３３と、周波数設定部３３による設定に応じて水平偏波アンテナ及び垂直偏波アンテナを選択し、無線通信に係る信号の入出力を行う分波回路１１とを有する。【選択図】      図３
2004363812.tif 000002
【特許請求の範囲】
【請求項１】
偏波面の異なる複数の偏波を通じて無線通信を行う移動通信システムであって、
第１の偏波の送受信を行う第１偏波アンテナと、
第２の偏波の送受信を行う第２偏波アンテナと、
前記第１偏波アンテナに固有の第１偏波用周波数と、前記第２偏波アンテナに固有の第２偏波用周波数とを設定する周波数設定部と、
前記周波数設定部による設定に応じて前記第１偏波アンテナ及び前記第２偏波アンテナを選択し、無線通信に係る信号の入出力を行う分波回路と
を有することを特徴とする移動通信システム。
【請求項２】
前記第１の偏波は、垂直偏波であり、前記第２の偏波は水平偏波であることを特徴とする請求項１に記載の移動通信システム。
【請求項３】
前記第１偏波アンテナ及び前記第２偏波アンテナにおける受信品質を検出する受信品質監視部と、
前記受信品質監視部における検出結果に応じて、前記第１偏波の受信品質と第２偏波の受信品質とを比較する偏波比較部と
を備え、
前記周波数設定部は、前記偏波比較部による比較結果に応じて、前記第１偏波用周波数及び前記第２偏波用周波数の設定を変更する
ことを特徴とする請求項１又は２に記載の移動通信システム。
【請求項４】
前記第１偏波アンテナ及び前記第２偏波アンテナは、物理的に離間された少なくとも一対のダイバーシチアンテナのブランチアンテナを構成していることを特徴とする請求項１乃至３に記載の移動通信システム。
【請求項５】
偏波面の異なる複数の偏波を通じて無線通信を行う基地局であって、
第１の偏波の送受信を行う第１偏波アンテナと、
第２の偏波の送受信を行う第２偏波アンテナと、
前記第１偏波アンテナに固有の第１偏波用周波数と、前記第２偏波アンテナに固有の第２偏波用周波数とを設定する周波数設定部と、
前記周波数設定部による設定に応じて前記第１偏波アンテナ及び前記第２偏波アンテナを選択し、無線通信に係る信号の入出力を行う分波回路と
前記第１偏波アンテナ及び前記第２偏波アンテナにおける受信品質を検出する受信品質監視部と、
前記受信品質監視部における検出結果に応じて、前記第１偏波の受信品質と第２偏波の受信品質とを比較する偏波比較部と
を備え、
前記周波数設定部は、前記偏波比較部による比較結果に応じて、前記第１偏波用周波数及び前記第２偏波用周波数の設定を変更する
ことを特徴とする基地局。
【請求項６】
偏波面の異なる複数の偏波を通じて無線通信を行う移動端末であって、
第１の偏波の送受信を行う第１偏波アンテナと、
第２の偏波の送受信を行う第２偏波アンテナと、
前記第１偏波アンテナに固有の第１偏波用周波数と、前記第２偏波アンテナに固有の第２偏波用周波数とを設定する周波数設定部と、
前記周波数設定部による設定に応じて前記第１偏波アンテナ及び前記第２偏波アンテナを選択し、無線通信に係る信号の入出力を行う分波回路と
を有することを特徴とする移動端末。
【請求項７】
偏波面の異なる複数の偏波を通じて無線通信を無線通信方法であって、
第１の偏波に固有の第１偏波用周波数と、第２の偏波に固有の第２偏波用周波数とを設定するステップ（１）と、
前記第１の偏波及び前記第２の偏波に関する受信品質を検出するステップ（２）と、
前記ステップ（２）における検出結果に応じて、前記第１偏波の受信品質と第２偏波の受信品質とを比較し、この比較結果に応じて、前記第１偏波用周波数及び前記第２偏波用周波数の設定を変更する
ことを特徴とする無線通信方法。
【発明の詳細な説明】
【０００１】
【発明の属する技術分野】
本発明は、移動通信システム、特にＣＤＭＡやＷ−ＣＤＭＡにおいて偏波面の異なる複数のアンテナを用いる移動通信システム、基地局、移動端末及び無線通信方法に関する。
【０００２】
【従来の技術】
従来、Ｗ−ＣＤＭＡに代表される移動通信システムにおいては、移動局のアンテナの傾きにより生じる基地局での受信信号電力の低下を補償するために、基地局のアンテナを垂直偏波アンテナと水平偏波アンテナの２種類設け、選択合成や最大比合成といったダイバーシチ受信を行っている。
【０００３】
このダイバーシチ受信を行わない場合、基地局のアンテナは、垂直に設置され垂直偏波アンテナとして用いられ、設置時に固定されることが多い。ところが、移動局側のアンテナは、ユーザの使用方法によって、垂直から所定の角度分傾斜して送出されるため、移動局のアンテナの傾きが大きくなるにつれて基地局に到達する垂直偏波成分が減少するとともに、水平偏波成分が増大することとなり、基地局での受信信号電力の低下が発生する。
【０００４】
この垂直偏波成分の低下量は、移動局アンテナの傾きと、周囲の都市構造に左右され、移動機アンテナの傾きを９０°としたとき市街地では６〜８ｄＢ、郊外地では１Ｏ〜１２ｄＢになるという報告がある。この低下量の値は、ある偏波面からもう１つの偏波面への漏れ量を示し、「交差偏波識別度」と呼ばれる。
【０００５】
この受信信号電力の低下は、垂直偏波成分の減少に相反して増大する水平偏波成分を受信することにより補償することができ、従来においても、基地局アンテナに水平偏波アンテナを併設する方法が開発されている（例えば、非特許文献１参照）。
【０００６】
この水平偏波成分の利用方法としては、基地局の垂直偏波アンテナと水平偏波アンテナの各々における受信信号電力を常に監視しておき、受信信号電力の大きい偏波アンテナを受信機に接続する選択合成と、両偏波アンテナからの信号をその信号電力対干渉電力比（ＳＩＲ）で重み付け合成する最大比合成とが挙げられる。上記の技術は偏波ダイバーシチと呼ばれる。
【０００７】
図６に、従来の偏波ダイバーシチに用いるアンテナ例を示す。同図に示すように、偏波ダイバーシチに用いるアンテナでは、水平偏波アンテナ及び垂直偏波アンテナを基本単位とし、水平偏波給電系により水平偏波アンテナに、送信電力を供給し、垂直偏波給電系により垂直偏波アンテナに、送信電力を供給する。
【０００８】
一方で、偏波面が同一あるいは異なるアンテナを、間隔を置いて複数設置する空間ダイバーシチ方式があり、これにより受信信号品質の向上を図る方法がある。図７に、空間ダイバーシチに用いるアンテナ例（垂直偏波）を示す。同図に示した例では、一対の垂直偏波アンテナを水平方向に所定距離（数十波長間隔）だけ離間させ、各アンテナで受信された電波を合成する。
【０００９】
移動通信システムにおいては送信された電波は地物による多重波伝搬路を介して受信されることから、数十波長間隔をおいたアンテナにおいて受信信号電力の瞬時変動（フェージング）が相互に独立になる。このため、偏波ダイバーシチの場合と同様に選択合成や最大比合成を行うことで受信信号品質を向上させることができる。上記では基地局での受信について述べたが、移動局における受信でも同じ効果が得られ、また、基地局及び移動局の送信に適用しても通信品質を向上させる効果がある。
【００１０】
さらに、偏波ダイバーシチと空間ダイバーシチを組み合わせることで通信品質はさらに向上することがわかっており、基地局における送受信についての構成が提案されている。例えば、基地局において垂直偏波アンテナと水平偏波アンテナの組（ダイバーシチブランチ）をフェージングが独立になる距離だけ離して２つ設置し、それぞれをブランチ１及びブランチ２とする。そして、垂直偏波アンテナと水平偏波アンテナの受信信号電力を常に測定し、比較して、垂直偏波アンテナの受信信号電力が水平偏波アンテナの受信電力よりも大きければ、両ブランチの垂直偏波アンテナを受信機に接続するようにスイッチを高速に切替え、上記の受信信号電力の関係が逆であれば水平偏波アンテナを受信機に接続するようにスイッチを高速に切替える。受信機はダイバーシチ受信機であり、ブランチ１とブランチ２からの受信信号を用いて選択合成、又は、最大比合成の処理を行う。また、送信機はブランチ１の受信信号電力の大きい偏波面のアンテナに接続するように切替える（従来方法１）。
【００１１】
また、他の方法として、上記と同様にダイバーシチブランチを基地局に２つ設置し、計４つ（２偏波アンテナ×２ブランチ）のアンテナを常にダイバーシチ受信機に接続して選択合成又は最大比合成を行い、送信機はブランチ１の受信信号電力の大きい偏波面のアンテナに接続するように切替えるものがある（従来方法２）。
【００１２】
これら２つの方法における測定、比較、切替え制御は基地局で通信相手移動局毎に行っている。（例えば非特許文献２参照）。
【００１３】
【非特許文献１】
坂上，明山，信学論，Ｊ７０−Ｂ，３，ｐｐ３８５−３９５「移動通信用基地局偏波ダイバーシチ特性・移動局側の偏波傾き角との関係」，１９８７年３月
【００１４】
【非特許文献２】
佐藤，藤井，信学技報，ＲＣＳ２００１−３９，ｐｐ５５−６１「移動局アンテナを傾斜して使用した場合のＷ−ＣＤＭＡ基地局ダイバーシチ受信特性」，２００１年５月
【００１５】
【発明が解決しようとする課題】
しかしながら、これの従来の移動通信方法では、以下のような問題点を含んでいる。
【００１６】
すなわち、基地局においては、移動局個々からの受信信号についてブランチの偏波面アンテナ毎に受信信号電力の測定及び比較を行う必要があるが、移動通信システムにおいては、基地局あたりに数十以上の移動局を同時に収容することが求められるため、用いる偏波面の増加に伴って基地局装置規模が増大する。
【００１７】
また、上記従来方法１では、受信信号電力の比較結果に基づいて通信相手移動局毎に接続するアンテナを基地局で頻繁かつ高速に切替える必要があり、通常のＷ−ＣＤＭＡの処理と比べて基地局における処理量が増加する。また、上記従来方法２では、有効なアンテナかどうかを判定せずにすべてを受信機に接続するので、装置規模が増大する。
【００１８】
さらに、送信機が同時に接続できるアンテナを１つのブランチにおける１つの偏波面のアンテナに限定しているため、ＣＤＭＡやＷ−ＣＤＭＡにおいて基地局送信信号の通信品質を向上させるために、有効な送信ダイバーシチ技術の適用が行えないという問題がある。すなわち、送信ダイバーシチ技術では移動局に対して平均受信信号電力が等しく、かつ、独立なフェージングの影響を受けた２系列のデータ（送信ダイバーシチ信号）を基地局から送信する必要があり、系列間で不等中央値（平均受信信号電力の格差）を発生させないように偏波面が同じ２つのアンテナに送信機を接続する必要が生じる。
【００１９】
そこで、本発明は上述の点に鑑みてなされたものであり、移動通信システム、特にＣＤＭＡやＷ−ＣＤＭＡにおいて簡易な構成で偏波ダイバーシチと空間ダイバーシチを同時に実現し、移動通信装置の規模や処理量を通常のＷ−ＣＤＭＡから大きく増加させることなく通信品質を向上させることのできる移動通信システム、基地局、移動端末及び無線通信方法を提供することを目的とする。
【００２０】
【課題を解決するための手段】
上記課題を解決するために、本発明は、偏波面の異なる複数の偏波を通じて無線通信を行う際、第１の偏波の送受信を行う第１偏波アンテナと、第２の偏波の送受信を行う第２偏波アンテナとを設置し、第１偏波アンテナに固有の第１偏波用周波数と、第２偏波アンテナに固有の第２偏波用周波数とを設定し、この設定に応じて第１偏波アンテナ及び第２偏波アンテナを選択し、無線通信に係る信号の入出力を行う。なお、上記発明においては、第１の偏波は、垂直偏波であり、第２の偏波は水平偏波とすることができる。
【００２１】
このような本発明によれば、偏波面の異なる複数の偏波アンテナを用いるため、通信端末のアンテナの傾きが変化した場合であっても、異なる偏波面の偏波アンテナが設置されているため、一方の偏波が低下した分、他の偏波により補償することができ、到達時の受信信号電力が、交差偏波識別度の分低下するのを防止することができる。
【００２２】
また、第１偏波アンテナ及び第２偏波アンテナにおける受信品質を検出し、この検出結果に応じて、第１偏波の受信品質と第２偏波の受信品質とを比較し、この比較結果に応じて、第１偏波用周波数及び第２偏波用周波数の設定を変更することが好ましい。
【００２３】
この場合には、受信品質に基づいて適切な偏波アンテナを選択し、該当する偏波アンテナに固有の周波数を通じて通信を行うことができるため、通信端末の姿勢や、伝搬環境に応じた通信を行うことが可能となる。また、かかる受信品質による周波数の設定変更は、既存のハンドオーバ処理を応用することにより容易に実施が可能であることから、既存のシステムに大幅な変更を加えることなく、本発明を実施することができる。
【００２４】
上記発明においては、第１偏波アンテナ及び第２偏波アンテナは、少なくとも一対のダイバーシチアンテナのブランチアンテナを構成していることが好ましい。この場合には、偏波ダイバーシチ方式と空間ダイバーシチ方式を併用することが可能となるため、より通信品質の向上を図ることができる。
【００２５】
なお、本発明の移動通信システムや移動通信方法は、基地局や移動局、基地局制御装置等に適用することが可能である。
【００２６】
【発明の実施の形態】
［第１実施形態］
以下、本発明の第１実施形態を図面に基づいて説明する。図１は、本実施形態に係る移動通信システムを示す説明図である。なお、本実施形態では、本発明をＷ−ＣＤＭＡを用いた移動通信システムを例に説明する。なお、同図においては、説明の便宜のため２つ移動端末２ａ及び２ｂが在圏している場合を例示するが、実際はサービスエリア内に多数の移動局が在圏し、符号分割多元接続によって同一周波数を共用している。
【００２７】
また、Ｗ−ＣＤＭＡ方式において移動端末２ａ及び２ｂは、システムに割り当てられた周波数帯域をサーチしてパイロットチャンネルの受信信号電力が最も大きいスクランブリングコードと周波数を同定し、通信相手候補を決定する（セルサーチ動作）。本実施形態では、システムにｆｕ１，ｆｕ２，ｆｕ３，ｆｕ１，ｆｄ２，ｆｄ３の周波数が割り当てられており、図２に示すように垂直偏波アンテナに、アップリンク（移動局から基地局）周波数ｆｕ１，ｆｕ２とダウンリンク（基地局から移動局）周波数ｆｄ１，ｆｄ２の組が割り当てられ、水平偏波アンテナには、アップリンク周波数ｆｕ３とダウンリンク周波数ｆｄ３を割り当てられている。
【００２８】
ここで、移動端末２ａ及び２ｂは、サービスエリア内に様々な姿勢（傾斜）で存在し、そのアンテナの垂直からの傾きも移動機毎に異なっている。このため、アンテナの傾きが垂直に近い移動端末２ａにおいては、垂直偏波アンテナから送信されるｆｄ１又はｆｄ２のパイロットチャンネルが、水平偏波アンテナから送信されるｆｄ３のパイロットチャンネルよりも大きな受信信号電力で受信される。一方で、アンテナの傾きが水平に近い移動端末２ｂでは、水平偏波アンテナから送信されるｆｄ３のパイロットチャンネルが、水平偏波アンテナから送信されるｆｄ１又はｆｄ２のパイロットチャンネルよりも大きな受信信号電力で受信される。
【００２９】
図３は、本実施形態に係る基地局の内部構成を示すブロック図である。なお、本実施形態では、空間ダイバーシチを適用せず、送信ダイバーシチと受信ダイバーシチを考慮しない場合の構成例である。
【００３０】
基地局１は、水平偏波アンテナと垂直偏波アンテナからなるブランチ＃１を有しており、水平偏波アンテナには水平偏波給電系により送信電力が供給され、垂直偏波アンテナには垂直偏波給電系により送信電力が供給されている。また、基地局１は、分波回路１１と送受信機１２と、偏波制御装置３とを備えている。
【００３１】
分波回路１１は、偏波制御装置３における周波数設定に応じて前記第１偏波アンテナ及び前記第２偏波アンテナを選択し、無線通信に係る信号の入出力を行う回路であり、水平分波器Ｈと垂直分波器Ｖと、水平偏波及び垂直偏波の受信品質を監視する受信品質監視部１１ａとを備えている。
【００３２】
分波器Ｖは、ｆｄ１，ｆｄ２及びｆｕ１，ｆｕ２を通過させ、他の周波数信号を遮断するフィルター装置であり、分波器Ｈは、ｆｄ３及びｆｕ３を通過させ、他の周波数信号を遮断するフィルター装置である。受信品質監視部１１ａは、水平偏波アンテナに関する受信品質と、垂直偏波アンテナに関する受信品質を検出し、その検出結果を偏波制御装置３に出力するモジュールである。
【００３３】
また、送受信機１２は、通信に係る信号の入出力を行うインタフェースであり、信号の送信を行う送信機１２ａと、信号の受信を行う受信機１２ｃと、これら送信機１２ａ及び受信機１２ｃと、分波回路１１との間で信号の入出力を行う送受共用器１２ｂを備えている。
【００３４】
なお、送信機１２ａは、図２で示したダウンリンク周波数ｆｄｌ，ｆｄ２，ｆｄ３にてＷ−ＣＤＭＡ信号を送信している。また、受信機１２ｃは、同アップリンク周波数ｆｕ１，ｆｕ２，ｆｕ３にてＷ−ＣＤＭＡ信号を受信している。
【００３５】
送受共用器１２ｂは、送信機からの送信信号が、受信機側へ流入せずに分波回路へ導かれるようにするとともに、同時に分波回路からの受信信号が送信機側へ流入せずに受信機へ導かれるようにするための装置である。
【００３６】
偏波制御装置３は、受信品質監視部１１ａによる受信品質が所定の値以下となった場合に、ハンドオーバの発生を検出するハンドオーバ検出部３１と、水平偏波アンテナに固有の水平偏波用周波数と、垂直偏波アンテナに固有の垂直偏波用周波数とを設定する周波数設定部３３と、受信品質監視部１１ａにおける検出結果に応じて、水平偏波の受信品質と垂直偏波の受信品質とを比較する偏波比較部３２と、周波数の設定が変更された場合に、移動局側に通知する通知部３４とを備える。
【００３７】
周波数設定部３３は、ハンドオーバ検出部３１がハンドオーバを検出した際に、偏波比較部３２による比較結果に応じて、前記水平偏波用周波数及び垂直偏波用周波数の設定を変更する。
【００３８】
このような本実施形態に係る移動通信システムの動作について説明する。図４は、本実施形態に係る移動通信システムの動作を示すシーケンス図である。
【００３９】
同図に示すように、先ず、移動局が、発信あるいは着信する際には、パイロットチャンネルの受信信号電力が最も大きいスクランブリングコードと周波数を同定し（Ｓ１０１）、通信相手候補を選択し、この選択したコードと周波数で通信を開始する（Ｓ１０２及びＳ１０３）。
【００４０】
そして、通話中に移動局の姿勢が変化した場合には（Ｓ１０４）、ハンドオーバ検出部３１によりハンドオーバが検出される（Ｓ１０５）。このハンドオーバが検出されると、受信品質監視部１１ａにより検出された受信品質に基づいて、偏波比較部３２が、垂直偏波と水平偏波とを比較し適切な偏波面が選定される（Ｓ１０６）。この偏波面の選定に応じて、周波数設定部３３はハンドオーバ処理を実行し、周波数が変更される（Ｓ１０７）。
【００４１】
この変更された周波数は、通知部３４から送信機１２ａを通じて移動端末２ａ又は２ｂに通知され、この通知により移動端末側の周波数を変更し（Ｓ１０９）、最適な偏波面のアンテナを用いた通信が継続される（Ｓ１１０）。
【００４２】
このように本実施形態では、基地局１に、垂直偏波アンテナ及び水平偏波アンテナを併設しているため、移動端末２は適切な偏波面のアンテナを通信相手候補として認識するため、受信信号電力の低下は起こらない。すなわち、移動端末２において、アンテナの傾きがほぼ水平になったような場合であっても、垂直偏波アンテナに加えて水平偏波アンテナが設置されているため、垂直偏波が低下した分、垂直偏波により補償することができ、基地局からのダウンリンク信号の移動局に到達時の受信信号電力が、交差偏波識別度の分低下するのを防止することができる。なお、ダウンリンクとアップリンクは可逆の関係にあるのでアップリンクでも同様の効果が得られる。
【００４３】
また、特に、本実施形態に係る移動通信システムでは、既存のハンドオーバ処理を利用して垂直偏波アンテナと水平偏波アンテナの切替えを行うことができ、基地局側に新しい処理を追加する必要がない。
【００４４】
［第２実施形態］
次いで、本発明の第２実施形態について説明する。図５は、本実施形態に係る移動通信システムの構成を示すブロック図である。本実施形態では、空間ダイバーシチと偏波ダイバーシチの両方を用いて、送信ダイバーシチ技術と受信ダイバーシチを適用する構成例であり、ブランチ数を２とした基地局を例に説明する。
【００４５】
ダイバーシチ送信機１２ａ’は、ダウンリンク周波数ｆｄ１，ｆｄ２，ｆｄ３にてＷ−ＣＤＭＡ送信ダイバーシチ信号を送信している。また、ダイバーシチ受信機１２ｃ’は、アップリンク周波数ｆｕ１，ｆｕ２，ｆｕ３においてブランチ毎にＷ−ＣＤＭＡ信号を受信している。
【００４６】
分波回路１１’は、上述した第１実施形態と同様の機能を有しているが、特に本実施形態では、Ｗ−ＣＤＭＡダイバーシチ信号の伝送にはブランチ＃１用とブランチ＃Ｎ用のＮ系統に分離してアンテナと送受信機１２’を接続するように、送受共用器１２ｂ’や分波回路１１’もＮ系統分、設けられている。
【００４７】
このような本実施形態に係る移動通信システムによれば、基地局１において、移動端末２からの受信信号をブランチ＃１とブランチ＃Ｎを用いて選択合成もしくは最大比合成することができ、移動局では送信ダイバーシチ信号を受けられるので通信品質を向上させることができる。
【００４８】
なお、上述した各実施形態では、基地局において、ハンドオーバの検出や周波数の変更を行ったが、本発明はこれに限定されるものではなく、例えば、移動局や基地局制御装置で、ハンドオーバの検出や周波数の設定変更を実行するようにしてもよい。
【００４９】
【発明の効果】
以上述べたように、本発明によれば、通常のＷ−ＣＤＭＡの基地局に新たな処理を追加することなく既存のハンドオーバ機能及び移動局のセルサーチ機能を用いて偏波ダイバーシチと空間ダイバーシチの両方を利用することができ、また、偏波面が同じ２つ以上のアンテナに送信機を接続することができるので送信ダイバーシチ技術の適用が可能であり、簡易な構成で通信品質を向上させることができる。
【図面の簡単な説明】
【図１】第１実施形態に係る移動通信システムを示す説明図である。
【図２】第１実施形態において、システムに割り当てられた周波数を示す説明図である。
【図３】第１実施形態に係る基地局の内部構成を示すブロック図である。
【図４】第１実施形態に係る移動通信システムの動作を示すシーケンス図である。
【図５】第２実施形態に係る移動通信システムの構成を示すブロック図である。
【図６】従来の偏波ダイバーシチに用いるアンテナ例を示す説明図である。
【図７】従来の空間ダイバーシチに用いるアンテナ例（垂直偏波）を示す説明図である。
【符号の説明】
１…基地局
２（２ａ，２ｂ）…移動端末
３…偏波制御装置
１１，１１’…分波回路
１１ａ，１１ａ’…受信品質監視部
１２、１２’…送受信機
１２ａ…送信機
１２ａ’…ダイバーシチ送信機
１２ｂ…送受共用器
１２ｃ…受信機
１２ｃ’…ダイバーシチ受信機
３１…ハンドオーバ検出部
３２…偏波比較部
３３…周波数設定部
３４…通知部
【図１】
2004363812.tif 000003
【図２】
2004363812.tif 000004
【図３】
2004363812.tif 000005
【図４】
2004363812.tif 000006
【図５】
2004363812.tif 000007
【図６】
2004363812.tif 000008
【図７】
2004363812.tif 000009